(57)【要約】      （修正有）【課題】手箕に対し着脱可能に取り付けられる手箕用取手を提供する。【解決手段】手箕１０に対し着脱可能に取り付けられる手箕用取手１の取付け部２を二本の脚部２１Ｆ、２１Ｒを有するものとし、この脚部によって手箕の後壁１０ｃを前後方向から挟んだ状態で、脚部の一方に設けられた雌ネジ２２に螺合させた雄ネジ２３の軸部を手箕の後壁に向かって進出させることによって、取付け部２が手箕の後壁に固定されるようにする。【選択図】図２
0003205113.tif 000002
【実用新案登録請求の範囲】
【請求項１】
手箕に対し着脱可能に取り付けられる手箕用取手であって、
前記手箕の後壁に固定される取付け部と、
前記取付け部の上端部に設けられた取手本体部と、
を具備してなり、
前記取付け部が二本の脚部を有し、前記脚部の一方に雌ネジが設けられてなり、
前記脚部によって前記手箕の後壁を前後方向から挟んだ状態で、前記雌ネジに螺合させた雄ネジの軸部を前記手箕の後壁に向かって進出させることによって、前記取付け部が前記手箕の後壁に固定されるようになされたことを特徴とする手箕用取手。
【請求項２】
請求項１に記載の手箕用取手において、
前記取付け部が前記手箕の後壁に固定される際に、前記手箕の後壁と前記雄ネジの軸部との間に介在させられるスペーサ部材を更に具備してなる手箕用取手。
【請求項３】
請求項２に記載の手箕用取手において、
前記取付け部が前記手箕の後壁に固定される際に、前記手箕の後壁上部に存する折り返し部に当接し得る下支え部が前記スペーサ部材に設けられてなる手箕用取手。
【考案の詳細な説明】
【技術分野】
【０００１】
本考案は、手箕に対し着脱自在に取り付けられる手箕用取手に関する。
【背景技術】
【０００２】
箒などで掃き集めたごみをゴミ箱まで運ぶ清掃用具としては塵取りが一般的である。しかしながら、落ち葉掻きなどの屋外清掃作業においては、市販の塵取りは容量が小さく、掻き集めた落ち葉を多量に運ぶことができない。
【０００３】
そのため、屋外清掃作業においては、「手箕（てみ）」と称される選別用農具が塵取りの替わりに使われる場合がある。
【０００４】
この手箕は、「箕（み）」や「箕篩（みぶるい）」とも称され、もともと脱穀などで不要な小片を吹き飛ばすことを主目的として作成されたものである。図１５に示すように、現在市販されている一般的な手箕１０は、平坦な受け皿１０ａの両側縁及び後端縁に、側壁１０ｂ及び後壁１０ｃを備えたバスケット形状を有する。又、前記側壁１０ｂ及び後壁１０ｃの上端には、外側に向かって折り返し部１０ｄが設けられている。
【０００５】
下記特許文献１では、この種の手箕に対し、屋外清掃作業に用いる際に落ち葉と共に掻き集められた砂や小石を分別し得るよう、底面に分別孔が設けられているものを開示している。
【先行技術文献】
【特許文献】
【０００６】
【特許文献１】特開２０１４‐４６３０８号公報
【考案の概要】
【考案が解決しようとする課題】
【０００７】
しかしながら、従来の手箕は、塵取りと比較して大型であり、又、取手がなかったため、掻き集めた落ち葉を手箕に履き入れるにあたっては、手箕を両手で支える人と、手箕に向かって落ち葉を掻き入れる人との最低二人が必要となる。
【０００８】
ここで、手箕の利便性を向上すべく、単に手箕に対して取手を取り付けることも考えられる。但し、図１６に示すように、手箕１０は積み重ねて保管される場合が多いため、取手が取り付けられると積み重ねて保管に供することが困難となる。
【０００９】
本考案は、前記技術的課題に鑑みて完成されたものであり、手箕に対し着脱可能に取り付けられる新規な手箕用取手を提供することを目的とする。
【課題を解決するための手段】
【００１０】
前記技術的課題を解決する本考案の手箕用取手は、手箕に対し着脱可能に取り付けられる手箕用取手であって、前記手箕の後壁に固定される取付け部と、前記取付け部の上端部に設けられた取手本体部と、を具備してなり、前記取付け部が二本の脚部を有し、前記脚部の一方に雌ネジが設けられてなり、前記脚部によって前記手箕の後壁を前後方向から挟んだ状態で、前記雌ネジに螺合させた雄ネジの軸部を前記手箕の後壁に向かって進出させることによって、前記取付け部が前記手箕の後壁に固定されるようになされたことを特徴とする（以下、「本考案取手」と称する。）。
【００１１】
本考案取手においては、前記取付け部が前記手箕の後壁に固定される際に、前記手箕の後壁と前記雄ネジの軸部との間に介在させられるスペーサ部材を更に具備してなるものが好ましい態様となる。
【００１２】
本考案取手においては、前記取付け部が前記手箕の後壁に固定される際に、前記手箕の後壁上部に存する折り返し部に当接し得る下支え部が前記スペーサ部材に設けられてなるものが好ましい態様となる。
【考案の効果】
【００１３】
本考案によれば、手箕を屋外清掃作業に用いる際の利便性が高くなる。
【図面の簡単な説明】
【００１４】
【図１】図１は、実施形態１に係る本考案取手を示す分解斜視図である。
【図２】図２（ａ）、（ｂ）は、前記本考案取手を手箕に取り付けた状態を示す斜視図と断面図である。
【図３】図３は、前記本考案取手が取り付けられた手箕の使用態様を示す斜視図である。
【図４】図４は、オプションパーツを備えた前記本考案取手を手箕に取り付けた状態を示す斜視図である。
【図５】図５は、オプションパーツを備えた前記本考案取手を手箕に取り付けた状態を示す断面図である。
【図６】図６は、前記本考案取手が取り付けられた手箕の使用態様を示す斜視図である。
【図７】図７は、前記本考案取手が取り付けられた手箕を運んでいる様子を示す斜視図である。
【図８】図８は、別のオプションパーツを備えた前記本考案取手を手箕に取り付けた状態を示す斜視図と部分拡大断面図である。
【図９】図９（ａ）は、更に別のオプションパーツを備えた前記本考案取手を手箕に取り付けた状態を示す斜視図と部分拡大断面図であり、図９（ｂ）は、キャップとテーパカラーを示す斜視図である。
【図１０】図１０（ａ）、（ｂ）は、別態様の雄ネジが用いられた本考案取手を示す分解斜視図である。
【図１１】図１１は、実施形態２に係る本考案取手を示す分解斜視図である。
【図１２】図１２は、前記本考案取手を手箕に取り付けた状態を示す断面図である。
【図１３】図１３は、実施形態３に係る本考案取手を示す分解斜視図である。
【図１４】図１４は、前記本考案取手を手箕に取り付けた状態を一部破断して示す背面図ある。
【図１５】図１５は、一般的な手箕を示す斜視図である。
【図１６】図１６は、前記手箕を複数個積み重ねた状態を示す斜視図である。
【考案を実施するための形態】
【００１５】
以下、本考案を実施するための形態を図面に基づいて説明するが、本考案はこの実施形態に限定されるものではない。
【００１６】
［実施形態１］
＜本考案取手１＞
図１に、実施形態１に係る本考案取手１を示す。この本考案取手１は、取付け部２と、前記取付け部２の上端部に設けられた取手本体部３と、を具備する。
【００１７】
‐取付け部２‐
前記取付け部２は、二本の脚部（前脚部２１Ｆ、後脚部２１Ｒ）２１を有する。又、前記脚部２１の一方（本実施形態においては、後脚部２１Ｒ）には雌ネジ２２が設けられている。前記雌ネジ２２には、雄ネジ２３の軸部を螺合させ得るネジ山が設けられている。
【００１８】
‐取手本体部３‐
本実施形態において、前記取手本体部３は、前記取付け部２の上端に溶接固定された金属パイプ３１と、カバー３２と、を具備する。前記カバー３２は中空構造を有しており、前記金属パイプ３１に外嵌されることにより、前記金属パイプ３１と一体化される。
【００１９】
前記構成を有する本考案取手１を、手箕１０に取り付けるにあたっては、図２（ａ）に示すように、前記手箕１０の後壁１０ｃに前記取付け部２を固定する。
【００２０】
前記手箕１０の後壁１０ｃに対する前記取付け部２の固定は、まず、前記脚部（前脚部２１Ｆ、後脚部２１Ｒ）２１を前記手箕１０の後壁１０ｃを前後方向から挟んだ状態として位置決めし、この状態下、前記雌ネジ２２に螺合させた前記雄ネジ２３の軸部を前記手箕１０の後壁１０ｃに向かって進出させる。本実施形態において、前記雄ネジ２３の進出は、前記雄ネジ２３の軸部の先端が前記手箕１０の後壁１０ｃに当接するまで行う。
【００２１】
これにより、図２（ｂ）に示すように、前記手箕１０の後壁１０ｃが、前記前脚部２１Ｆと前記雄ネジ２３の軸部の先端とによって挟まれた状態となり、前記手箕１０に本考案取手１が取り付けられる。
【００２２】
本考案取手１が取り付けられた手箕１０は、取り扱い性が向上し、例えば、図３に示すように、一人の作業者Ｓが本考案取手１の取手本体部３を片手で持ち、もう片方の手に持った箒１００にて、掻き集めた落ち葉などを前記手箕１０内に掻き入れることができるようになる。
【００２３】
又、清掃作業が終われば、前記手箕１０から本考案取手１を速やかに取り外すこともできることから、本考案取手１を取り外した前記手箕１０を重ね合わせて保管に供することもできる（図１６参照）。
【００２４】
ところで、本実施形態における本考案取手１は、前記取手本体部３が前記取付け部２を構成する前記脚部２１の上端部に直接設けられているため、前記手箕１０に本考案取手１を取り付けると、前記取手本体部３が、前記手箕１０の後壁１０ｃの上端に存する折り返し部１０ｄとほぼ同じ高さの位置となる。そのため、作業者Ｓは、しゃがんだ姿勢にて清掃作業を行わなければならない（図３参照）。
【００２５】
この点につき、図４に示すように、本考案取手１は、前記取手本体部３にオプションパーツ５を取り付けることができる仕組みとなされており、前記オプションパーツ５を取り付けることによって、前記取手本体部３より上方に第二の取手５１を位置させることができる。
【００２６】
図５に示すように、このオプションパーツ５は、Ｌ字状に屈曲する取付け部５２と、Ｌ字状に屈曲する取手部５３とが芯鞘構造にて結合された形態を有しており、前記取付け部５２を本考案取手１の取手本体部３に差し込みねじ止めすることによって、本考案取手１に取り付けられる。
【００２７】
又、前記取付け部５２には、複数のねじ穴が設けられており、芯鞘構造にて結合された前記取付け部５２と前記取手部５３とを固定するねじの締結位置を変えることによって、前記第二の取手５１の高さが段階的に変えられる仕組みとなされている。
【００２８】
従って、本考案取手１に前記オプションパーツ５を取り付ければ、図６に示すように、作業者Ｓは、立ったままの姿勢にて清掃作業を行うことが可能となる。
【００２９】
又、前記取手本体部３より上方に第二の取手５１が位置するようにすれば、図７に示すように、清掃作業時において前記手箕１０を運ぶ際に、作業者Ｓが立ち、手を伸ばした状態で運ぶことができるため、運搬作業が楽に、しかも速やかに行うことができるようになる。
【００３０】
なお、前記オプションパーツ５の構造や伸縮の仕組みは、特に限定されるものではない。例えば、図８に示すように、バネＢによって弾性的に付勢されたピンＰによって第二の取手５１の高さが段階的に変えられる構造としても良いし、図９に示すように、ねじ込み式のキャップＣと、テーパカラーＴとの組み合わせからなるジョイントによって、第二の取手５１の高さが無段階的に変えられる構造としても良い。
【００３１】
ところで、本実施形態においては、前記取付け部２を固定するための雄ネジ２３として六角ボルトを用いているが、前記雄ネジ２３としては、前記脚部２１に設けられた雌ネジ２２に螺合しえるものであれば特に限定されない。例えば、図１０（ａ）、（ｂ）に示すように、前記雄ネジ２３として、化粧ボルトや蝶ボルトを用いれば、より一層手箕１０に対する本考案取手１の着脱が容易となる。
【００３２】
［実施形態２］
＜本考案取手１＞
図１１に、実施形態２に係る本考案取手１を示す。この本考案取手１は、取付け部２と、前記取付け部２の上端部に設けられた取手本体部３と、スペーサ部材４と、を具備する。なお、本実施形態に係る本考案取手１における前記取付け部２及び前記取手本体部３については、前記実施形態１において説明したものと同様のものを用いた。
【００３３】
‐スペーサ部材４‐
本実施形態において、前記スペーサ部材４は、前記取付け部２の脚部（前脚部２１Ｆ、後脚部２１Ｒ）２１の間に入り込み得るサイズを有する金属製の角パイプを用いた。又、前記スペーサ部材４の一面には、前記取付け部２の後脚部２１Ｒに設けられた雌ネジ２２より大径の貫通孔４１が設けられている。
【００３４】
本実施形態に係る本考案取手１を、手箕１０に取り付けるにあたっては、実施形態１と同様にして、まず、前記脚部（前脚部２１Ｆ、後脚部２１Ｒ）２１を前記手箕１０の後壁１０ｃを前後方向から挟んだ状態として位置決めする。
【００３５】
次いで、前記スペーサ部材４を前記手箕１０の後壁１０ｃと、前記取付け部２における後脚部２１Ｒとの間に挿入する。この際、前記スペーサ部材４における前記貫通孔４１が設けられた一面を、後脚部２１Ｒに対向させ、又、前記貫通孔４１の位置が、前記取付け部２の後脚部２１Ｒに設けられた雌ネジ２２と重なり合う位置となるようにする。
【００３６】
この状態下、前記雌ネジ２２に螺合させた前記雄ネジ２３の軸部を前記手箕１０の後壁１０ｃに向かって進出させる。本実施形態において、前記雄ネジ２３の進出は、前記雄ネジ２３の軸部が前記スペーサ部材４の貫通孔４１を通過し、前記雄ネジ２３の軸部の先端が前記スペーサ部材４の内面に当接するまで行う。
【００３７】
これにより、図１２に示すように、前記手箕１０の後壁１０ｃが、前記前脚部２１Ｆと前記雄ネジ２３の進出によって押された前記スペーサ部材４とによって挟まれた状態となり、前記手箕１０に本考案取手１が取り付けられる。
【００３８】
即ち、本実施形態に係る本考案取手１では、前記手箕１０の後壁１０ｃに対する前記スペーサ部材４の面接触によって、手箕１０に対する取付けが行われる。これにより、本考案取手１は、より安定して前記手箕１０に取り付けられる。又、本考案取手１の取付時において、前記手箕１０の後壁１０ｃに与えられる圧力が分散されるため、前記手箕１０に損傷等が生じ難くなる。
【００３９】
なお、本実施形態においては、前記スペーサ部材４として、角パイプの一面に前記雄ネジ２３の軸部を通過させ得る貫通孔４１を設けたものを用いたが、前記スペーサ部材４としては、記雄ネジ２３の進出によって押され、もって、前記手箕１０の後壁１０ｃに面接触し得るものであれば、その形態は特に限定されるものではない。
【００４０】
その余は、前記実施形態１において説明した事項と同様のため、繰り返しを避けるべくここでは説明を省略する。
【００４１】
［実施形態３］
＜本考案取手１＞
図１３に、実施形態３に係る本考案取手１を示す。この本考案取手１は、取付け部２と、前記取付け部２の上端部に設けられた取手本体部３と、スペーサ部材４と、を具備する。なお、本実施形態に係る本考案取手１における前記取付け部２及び前記取手本体部３については、前記実施形態１において説明したものと同様のものを用いた。
【００４２】
‐スペーサ部材４‐
本実施形態において、前記スペーサ部材４は、前記取付け部２の脚部（前脚部２１Ｆ、後脚部２１Ｒ）２１の間に入り込み得るサイズを有する金属製の角パイプを用いた。又、前記スペーサ部材４の一面には、前記取付け部２の後脚部２１Ｒに設けられた雌ネジ２２より大径の貫通孔４１が設けられている。更に、前記スペーサ部材４の上部には、一対のＬ字状の下支え部４２が設けられている。従って、前記スペーサ部材４は、Ｔ字状の全体形状を有する。
【００４３】
本実施形態に係る本考案取手１を、手箕１０に取り付けるにあたっては、実施形態１と同様にして、まず、前記脚部（前脚部２１Ｆ、後脚部２１Ｒ）２１を前記手箕１０の後壁１０ｃを前後方向から挟んだ状態として位置決めする。
【００４４】
次いで、前記スペーサ部材４を前記手箕１０の後壁１０ｃと、前記取付け部２における後脚部２１Ｒとの間に挿入する。この際、前記スペーサ部材４における前記貫通孔４１が設けられた一面を、後脚部２１Ｒに対向させ、又、前記貫通孔４１の位置が、前記取付け部２の後脚部２１Ｒに設けられた雌ネジ２２と重なり合う位置となるようにする。なお、本実施形態において用いられる前記スペーサ部材４は、前記貫通孔４１と前記雌ネジ２２とが重なり合う位置となされた際、その上端に設けられた一対の下支え部４２が前記手箕１０の後壁１０ｃに存する折り返し部１０ｄの下面に当接するように、前記貫通孔４１の位置を設定している。
【００４５】
この状態下、前記雌ネジ２２に螺合させた前記雄ネジ２３の軸部を前記手箕１０の後壁１０ｃに向かって進出させる。本実施形態において、前記雄ネジ２３の進出は、前記雄ネジ２３の軸部が前記スペーサ部材４の貫通孔４１を通過し、前記雄ネジ２３の軸部の先端が前記スペーサ部材４の内面に当接するまで行う。
【００４６】
これにより、図１４に示すように、前記手箕１０の後壁１０ｃが、前記前脚部２１Ｆと前記雄ネジ２３の進出によって押された前記スペーサ部材４とによって挟まれた状態となり、前記手箕１０に本考案取手１が取り付けられる。この際、前記スペーサ部材４の下支え部４２が、前記手箕１０の後端に存する折り返し部１０ｄを下支えする。
【００４７】
即ち、本実施形態に係る本考案取手１では、前記手箕１０の後壁１０ｃに対する前記スペーサ部材４の面接触と、前記下支え部４２による折り返し部１０ｄの下支えによって、手箕１０に対する取付けが行われる。これにより、本考案取手１は、より一層安定して前記手箕１０に取り付けられる。
【００４８】
その余は、前記実施形態１、２において説明した事項と同様のため、繰り返しを避けるべくここでは説明を省略する。
【００４９】
なお、本考案は、その精神または主要な特徴から逸脱することなく、他のいろいろな形で実施することができる。そのため、上述の実施形態はあらゆる点で単なる例示にすぎず、限定的に解釈してはならない。本考案の範囲は実用新案登録請求の範囲によって示すものであって、明細書本文には、なんら拘束されない。さらに、実用新案登録請求の範囲の均等範囲に属する変形や変更は、全て本考案の範囲内のものである。
【産業上の利用可能性】
【００５０】
前記本考案取手は、手箕に対し着脱自在に取り付けられる取手として好適に用いられる。
【符号の説明】
【００５１】
１  本考案取手（手箕用取手）
２  取付け部
２１  脚部
２１Ｆ  前脚部
２１Ｒ  後脚部
２２  雌ネジ
２３  雄ネジ
３  取手本体部
４  スペーサ部材
４１  貫通孔
４２  下支え部
１０  手箕
１０ｃ  後壁
１０ｄ  折り返し部
【図１】
0003205113.tif 000003
【図２】
0003205113.tif 000004
【図３】
0003205113.tif 000005
【図４】
0003205113.tif 000006
【図５】
0003205113.tif 000007
【図６】
0003205113.tif 000008
【図７】
0003205113.tif 000009
【図８】
0003205113.tif 000010
【図９】
0003205113.tif 000011
【図１０】
0003205113.tif 000012
【図１１】
0003205113.tif 000013
【図１２】
0003205113.tif 000014
【図１３】
0003205113.tif 000015
【図１４】
0003205113.tif 000016
【図１５】
0003205113.tif 000017
【図１６】
0003205113.tif 000018